(57)【要約】【課題】起床処理に要する時間をより短縮することができるようにする。【解決手段】起床対象特定部は、起床要因に応じて起床対象を特定する。後段階起床処理部は、起床対象特定部により特定された起床対象を起床させる。本技術は、例えば、記録再生装置、携帯電話機、デジタルカメラ、ポータブル型オーディオ機器、ＩＣレコーダ、ビデオカメラ、テレビジョン受像機等に適用することができる。【選択図】図１
2014157490.tif 000002
【特許請求の範囲】
【請求項１】
起床要因に応じて起床対象を特定する起床対象特定部と、
前記起床対象特定部により特定された前記起床対象を起床させる起床処理部と
を備える情報処理装置。
【請求項２】
前記起床対象特定部は、前記起床要因と前記起床対象を対応付けるテーブルを参照して前記起床対象を特定する
請求項１に記載の情報処理装置。
【請求項３】
前記起床対象は、プロセスまたはデバイスである
請求項１に記載の情報処理装置。
【請求項４】
前記起床対象特定部は、前記起床要因と前記プロセスを対応付けるとともに、前記プロセスと前記デバイスを対応付けるテーブルを参照して前記起床対象を特定する
請求項３に記載の情報処理装置。
【請求項５】
前記起床要因は、休止状態において発生する
請求項１に記載の情報処理装置。
【請求項６】
前記起床要因は、動作状態において発生する
請求項１に記載の情報処理装置。
【請求項７】
情報処理装置が、
起床要因に応じて起床対象を特定する起床対象特定ステップと、
前記起床対象特定ステップの処理により特定された前記起床対象を起床させる起床処理ステップと
を含む情報処理方法。
【請求項８】
コンピュータを、
起床要因に応じて起床対象を特定する起床対象特定部と、
前記起床対象特定部により特定された前記起床対象を起床させる起床処理部と
して機能させるためのプログラム。
【発明の詳細な説明】
【技術分野】
【０００１】
本技術は、情報処理装置、情報処理方法、およびプログラムに関し、特に、起床処理に要する時間をより短縮することができるようにした情報処理装置、情報処理方法、およびプログラムに関する。
【背景技術】
【０００２】
従来、情報処理装置のレジューム処理（起床処理）において、一部のデバイスドライバの初期化処理を省略することで、レジューム処理に要する時間を短縮する手法が提案されている(例えば、特許文献１参照)。
【先行技術文献】
【特許文献】
【０００３】
【特許文献１】特開２０１０−１５７０１７号公報
【発明の概要】
【発明が解決しようとする課題】
【０００４】
しかしながら、特許文献１に記載の技術では、省略される初期化処理は、起床要因によらず一定であり、起床要因によっては無駄な初期化処理が行われる場合がある。従って、起床要因に最適な起床対象のみを起床し、起床処理に要する時間をより短縮することが求められている。
【０００５】
本技術は、このような状況に鑑みてなされたものであり、起床処理に要する時間をより短縮することができるようにするものである。
【課題を解決するための手段】
【０００６】
本技術の一側面の情報処理装置は、起床要因に応じて起床対象を特定する起床対象特定部と、前記起床対象特定部により特定された前記起床対象を起床させる起床処理部とを備える情報処理装置である。
【０００７】
本技術の一側面の情報処理方法およびプログラムは、本技術の一側面の情報処理装置に対応する。
【０００８】
本技術の一側面においては、起床要因に応じて起床対象が特定され、特定された前記起床対象が起床される。
【発明の効果】
【０００９】
本技術の一側面によれば、起床処理に要する時間をより短縮することができる。
【図面の簡単な説明】
【００１０】
【図１】本技術の起床処理部の概念を示すブロック図である。
【図２】図１の起床処理部の起床処理を説明するフローチャートである。
【図３】本技術を適用した情報処理装置の第１実施の形態としての記録再生装置の構成例を示すブロック図である。
【図４】図３の記録再生装置により実現される起床処理部の構成例を示すブロック図である。
【図５】図４の起床テーブルの例を示す図である。
【図６】図４の起床処理部の起床処理を説明するフローチャートである。
【図７】本技術を適用した情報処理装置の第２実施の形態としての携帯電話機の構成例を示すブロック図である。
【図８】図７の携帯電話機により実現される起床処理部の構成例を示すブロック図である。
【図９】図８の起床テーブルの例を示す図である。
【図１０】本技術を適用した情報処理装置の第３実施の形態としてのデジタルカメラの構成例を示すブロック図である。
【図１１】図１０のデジタルカメラにより実現される起床処理部の構成例を示すブロック図である。
【図１２】図１１の起床テーブルの例を示す図である。
【図１３】本技術を適用した情報処理装置の第４実施の形態としてのポータブル型オーディオ機器の構成例を示すブロック図である。
【図１４】図１３のポータブル型オーディオ機器により実現される起床処理部の構成例を示すブロック図である。
【図１５】図１４の起床テーブルの例を示す図である。
【図１６】本技術を適用した情報処理装置の第５実施の形態としてのＩＣレコーダの構成例を示すブロック図である。
【図１７】図１６のＩＣレコーダにより実現される起床処理部の構成例を示すブロック図である。
【図１８】図１７の起床テーブルの例を示す図である。
【図１９】本技術を適用した情報処理装置の第６実施の形態としてのビデオカメラの構成例を示すブロック図である。
【図２０】図１９のビデオカメラにより実現される起床処理部の構成例を示すブロック図である。
【図２１】図２０の起床テーブルの例を示す図である。
【図２２】本技術を適用した情報処理装置の第７実施の形態としてのテレビジョン受像機の構成例を示すブロック図である。
【図２３】図２２のテレビジョン受像機により実現される起床処理部の構成例を示すブロック図である。
【図２４】図２３の起床テーブルの例を示す図である。
【図２５】図７の携帯電話機により実現される追加起床処理部の構成例を示すブロック図である。
【図２６】図２５の起床テーブルの例を示す図である。
【発明を実施するための形態】
【００１１】
＜本技術の概念＞
（起床処理部の概念）
図１は、本技術の起床処理部の概念を示すブロック図である。
【００１２】
図１に示すように、本技術の起床処理部１０は、前段階起床処理部１１、前段階起床対象部１２、および後段階起床対象部１３により構成される。起床処理部１０は、起床要因を特定し、特定された起床要因に応じた起床対象を起床させる。
【００１３】
具体的には、起床処理部１０の前段階起床処理部１１は、起床要因が発生した場合に、起床要因によらず、前段階起床対象部１２を起床させる。
【００１４】
前段階起床対象部１２は、起床要因特定部２１、起床対象特定部２２、起床テーブル２３、および後段階起床処理部２４により構成される。
【００１５】
起床要因特定部２１は、発生した起床要因を特定し、特定された起床要因を示す情報を起床対象特定部２２に供給する。
【００１６】
起床対象特定部２２は、起床テーブル２３を参照して、起床要因特定部２１から供給される情報が示す起床要因に対応する、後段階起床対象部１３のうちの前段階起床対象部１２の後に起床される要素である後段階起床要素３１の少なくとも１つを、起床対象として特定する。起床対象特定部２２は、特定された後段階起床要素を示す情報を後段階起床処理部２４に供給する。
【００１７】
起床テーブル２３は、起床要因と、その起床要因による起床時に起床する必要がある後段階起床要素３１とを対応付けるテーブルである。後段階起床処理部２４は、後段階起床対象部１３のうちの起床対象特定部２２から供給される情報が示す後段階起床要素３１を起床させる。
【００１８】
後段階起床対象部１３は、１以上（通常、複数）の後段階起床要素３１からなる。後段階起床要素３１は、デバイス（ドライバを含んでもよい）またはプロセスである。
【００１９】
（起床処理部の処理の説明）
図２は、図１の起床処理部１０の起床処理を説明するフローチャートである。この起床処理は、起床要因が発生したときに開始される。
【００２０】
図２のステップＳ１１において、起床処理部１０の前段階起床処理部１１は、前段階起床対象部１２を起床させる。これにより、状態が、起床要因の特定、起床テーブル２３を参照した起床対象の特定、および起床対象の起床が可能な状態に遷移する。
【００２１】
ステップＳ１２において、前段階起床対象部１２の起床要因特定部２１は、起床要因を特定し、特定された起床要因を示す情報を起床対象特定部２２に供給する。
【００２２】
ステップＳ１３において、起床対象特定部２２は、起床テーブル２３を参照して、起床要因特定部２１から供給される情報が示す起床要因に対応する後段階起床要素３１を、起床対象として特定する。そして、起床対象特定部２２は、特定された後段階起床対象を示す情報を後段階起床処理部２４に供給する。
【００２３】
ステップＳ１４において、後段階起床処理部２４は、後段階起床対象部１３のうちの起床対象特定部２２から供給される情報が示す後段階起床要素３１を起床させる。これにより、状態が、起床要因に応じた動作を実行可能な状態に遷移する。
【００２４】
＜第１実施の形態＞
（情報処理装置の第１実施の形態の構成例）
図３は、本技術を適用した情報処理装置の第１実施の形態としての記録再生装置の構成例を示すブロック図である。
【００２５】
図３の記録再生装置５０は、ハードディスクレコーダ等であり、番組の予約録画や、録画番組の再生等を行う。
【００２６】
記録再生装置５０において、CPU（Central Processing Unit）５１，ROM（Read Only Memory）５２，RAM（Random Access Memory）５３は、バス５４により相互に接続されている。バス５４には、さらに、入出力インタフェース５５が接続されている。入出力インタフェース５５には、入力部５６、映像出力部５７、音声出力部５８、記録部５９、および放送受信部６０が接続されている。
【００２７】
CPU５１は、例えば、記録部５９に記録されているプログラムを、入出力インタフェース５５およびバス５４を介して、RAM５３にロードして実行することにより、番組の予約録画や、録画番組の再生等を行う。このとき、必要に応じて、CPU５１は、ROM５２に記憶されている情報を参照したり、RAM１３３に対して情報を読み書きしたりする。
【００２８】
入力部５６は、再生ボタン等の各種の操作ボタンよりなる。再生ボタンとは、記録部５９に記録（録画）されている番組を再生するときにユーザにより操作されるボタンである。
【００２９】
映像出力部５７は、録画番組の再生時、CPU５１の制御により、記録部５９に記録されている番組の映像を図示せぬ外部のディスプレイなどに出力する。音声出力部５８は、録画番組の再生時、CPU５１の制御により、記録部５９に記録されている番組の音声を図示せぬ外部のスピーカなどに出力する。
【００３０】
記録部５９は、ハードディスクや不揮発性のメモリなどよりなる。記録部５９は、番組の予約録画時、CPU５１などの制御により、放送受信部６０により受信された番組の映像や音声などを記録する。記録部５９は、録画番組の再生時、再生ボタンの操作等に応じたCPU５１などの制御により、記録している番組の映像を読み出して映像出力部５７に供給し、音声を読み出して音声出力部５８に供給する。
【００３１】
放送受信部６０は、チューナなどよりなる。放送受信部６０は、番組の予約録画時、CPU５１などの制御により、所定の時刻に所定のチャンネルで放送されている番組を受信し、その番組の映像や音声を記録部５９に供給する。
【００３２】
以上のように構成される記録再生装置５０は、起床処理部１０を実現する。記録再生装置５０により実現される起床処理部について、以下に説明する。
【００３３】
（起床処理部の構成例）
図４は、図３の記録再生装置５０により実現される起床処理部の構成例を示すブロック図である。
【００３４】
図４に示すように、記録再生装置５０により実現される起床処理部８０は、前段階起床処理部８１、前段階起床対象部８２、および後段階起床対象部８３により構成される。
【００３５】
前段階起床処理部８１は、例えば、図３のCPU５１により、図１の前段階起床処理部１１を実現するものである。即ち、前段階起床処理部８１は、起床要因が発生し、サスペンドやハイバネーション等の休止状態から動作状態に遷移する際に、前段階起床対象部８２を起床させる。
【００３６】
前段階起床対象部８２は、図１の前段階起床対象部１２を実現するものである。即ち、前段階起床対象部８２は、起床要因特定部９１、起床対象特定部９２、ROM５２に記憶される起床テーブル９３、および後段階起床処理部９４により構成される。そして、起床要因特定部９１は、休止状態において発生した起床要因を特定し、起床対象特定部９２は、起床テーブル９３を参照して、特定された起床要因に対応する後段階起床要素を起床対象として特定し、後段階起床処理部９４は、特定された後段階起床要素を起床させる。
【００３７】
なお、起床要因特定部９１、起床対象特定部９２、および後段階起床処理部９４は、例えば、CPU５１により実現される。
【００３８】
後段階起床対象部８３は、図１の後段階起床対象部１３を実現するものである。後段階起床対象部８３は、後段階起床要素としての録画プロセス１０１、再生プロセス１０２、映像出力部５７、音声出力部５８、記録部５９、放送受信部６０等により構成される。録画プロセス１０１は、CPU５１により実行される番組の録画動作を行うプロセスであり、再生プロセスは、CPU５１により実行される番組の再生動作を行うプロセスである。
【００３９】
（起床テーブルの例）
図５は、図４の起床テーブル９３の例を示す図である。
【００４０】
図５に示すように、起床テーブル９３は、起床要因プロセステーブル１１１とプロセスデバイステーブル１１２により構成される。起床要因プロセステーブル１１１は、起床要因と、その起床要因による起床時に起床する必要があるプロセスとが対応付けられたテーブルである。
【００４１】
図５の例では、起床要因プロセステーブル１１１には、起床要因としての「番組予約録画のタイマー割り込み」に対応付けて「録画プロセス」が登録されている。また、起床要因としての「再生ボタンの操作」に対応付けて「再生プロセス」が登録されている。
【００４２】
また、プロセスデバイステーブル１１２は、プロセスと、そのプロセスの実行時に起床する必要があるデバイスとを対応付けたテーブルである。図５の例では、プロセスデバイステーブル１１２には、「録画プロセス」に対応付けてデバイスとしての「放送受信部」および「記録部」が登録されている。また、「再生プロセス」に対応付けてデバイスとしての「記録部」、「映像出力部」、および「音声出力部」が登録されている。
【００４３】
以上のようにして、図５の起床テーブル９３では、起床要因としての「番組予約録画のタイマー割り込み」と、「録画プロセス」、「放送受信部」、および「記録部」が対応付けられている。また、起床要因としての「再生ボタンの操作」と、「再生プロセス」、「記録部」、「映像出力部」、および「音声出力部」が対応付けられている。
【００４４】
（起床処理の説明）
図６は、図４の起床処理部８０の起床処理を説明するフローチャートである。この起床処理は、休止状態において起床要因が発生したときに開始される。
【００４５】
図６のステップＳ３１において、起床処理部８０の前段階起床処理部８１は、前段階起床対象部８２を起床させる。
【００４６】
ステップＳ３２において、前段階起床対象部８２の起床要因特定部９１は、発生した起床要因を特定する。例えば、番組予約録画のタイマー割り込みに付与された、割り込みを特定する番号が１である場合、起床要因特定部９１は、番号１が付与された割り込みが発生したとき、起床要因が「番組予約録画のタイマー割り込み」であると特定する。起床要因特定部９１は、特定された起床要因を示す情報を起床対象特定部９２に供給する。
【００４７】
ステップＳ３３において、起床対象特定部９２は、起床要因プロセステーブル１１１において、起床要因特定部９１から供給される情報が示す起床要因に対応付けられているプロセスを、ROM５２から読み出す。
【００４８】
具体的には、例えば、ハイバネーション時に時刻が予約録画番組の放送開始時刻より所定時間前になることで、起床要因としての「番組予約録画のタイマー割り込み」が発生した場合、起床対象特定部９２は、起床要因プロセステーブル１１１において「番組予約録画のタイマー割り込み」に対応付けられている「録画プロセス」を読み出す。
【００４９】
一方、ユーザにより入力部５６の再生ボタンが操作され、起床要因としての「再生ボタンの操作」が発生した場合、起床対象特定部９２は、起床要因プロセステーブル１１１において「再生ボタンの操作」に対応付けられている「再生プロセス」を読み出す。
【００５０】
ステップＳ３４において、起床対象特定部９２は、プロセスデバイステーブル１１２において、ステップＳ３３で読み出されたプロセスに対応付けられているデバイスを、ROM５２から読み出す。
【００５１】
具体的には、「録画プロセス」が読み出された場合、起床対象特定部９２は、プロセスデバイステーブル１１２において「録画プロセス」に対応付けられている「放送受信部」および「記録部」を読み出す。一方、「再生プロセス」が読み出された場合、起床対象特定部９２は、プロセスデバイステーブル１１２において「再生プロセス」に対応付けられている「記録部」、「映像出力部」、および「音声出力部」を読み出す。
【００５２】
ステップＳ３５において、起床対象特定部９２は、起床対象を、ステップＳ３３で読み出されたプロセスとステップＳ３４で読み出されたデバイスに決定する。そして、起床対象特定部９２は、起床対象として決定されたプロセスとデバイスを示す情報を後段階起床処理部９４に供給する。
【００５３】
ステップＳ３６において、後段階起床処理部９４は、後段階起床対象部８３のうちの、起床対象特定部９２から供給される情報が示すプロセスとデバイスを起床させる。これにより、起床要因が「番組予約録画のタイマー割り込み」である場合、予約番組を録画するために必要な録画プロセス１０１、記録部５９、および放送受信部６０のみが起床される。その結果、CPU５１は、録画プロセス１０１にしたがって、放送受信部６０に予約番組の映像および音声を受信させ、その映像および音声を記録部５９に記録させる。録画終了後、記録再生装置５０は、録画プロセス１０１、記録部５９、および放送受信部６０を停止し、ハイバネーション状態に遷移する。
【００５４】
一方、起床要因が「再生ボタンの操作」である場合、番組を再生するために必要な再生プロセス１０２、記録部５９、映像出力部５７、および音声出力部５８のみが起床される。その結果、CPU５１は、再生プロセス１０２にしたがって、記録部５９から所定の番組の映像や音声を読み出し、映像を映像出力部５７に出力させ、音声を音声出力部５８に出力させる。
【００５５】
以上のように、記録再生装置５０は、起床要因に応じて起床対象を特定し、その起床対象を起床させる。従って、起床要因に応じて、起床する必要があるデバイスやプロセスのみを起床させることができる。即ち、起床不要なデバイスやプロセスが起床されないようにすることができる。よって、起床処理に要する時間を短縮し、起床処理時の消費電力を削減することができる。また、起床処理後の消費電力を削減し、起床しているデバイスやプロセスの停止処理に要する時間や停止処理時の消費電力を削減することができる。
【００５６】
＜第２実施の形態＞
（情報処理装置の第２実施の形態の構成例）
図７は、本技術を適用した情報処理装置の第２実施の形態としての携帯電話機の構成例を示すブロック図である。
【００５７】
図７の携帯電話機１３０は、スマートフォン等であり、通話、撮影、電子メールの送受信、ウェブページの表示等を行う。
【００５８】
携帯電話機１３０において、CPU１３１，ROM１３２，RAM１３３は、バス１３４により相互に接続されている。バス１３４には、さらに、入出力インタフェース１３５が接続されている。入出力インタフェース１３５には、入力部１３６、音声入力部１３７、画像入力部１３８、画像出力部１３９、音声出力部１４０、記録部１４１、および通信部１４２が接続されている。
【００５９】
CPU１３１は、例えば、記録部１４１に記録されているプログラムを、入出力インタフェース１３５およびバス１３４を介して、RAM１３３にロードして実行することにより、通話、撮影、電子メールの送受信、ウェブページの表示等を行う。このとき、必要に応じて、CPU１３１は、ROM１３２に記憶されている情報を参照したり、RAM１３３に対して情報を読み書きしたりする。
【００６０】
入力部１３６は、カメラボタン、ウェブボタン等の各種の操作ボタンよりなる。カメラボタンとは、撮影を行うときにユーザにより操作されるボタンである。ウェブボタンとは、ウェブページを表示するときにユーザにより操作されるボタンである。
【００６１】
音声入力部１３７は、マイクロホンなどよりなる。音声入力部１３７は、通話時、CPU１３１の制御により、周囲の音声を取得し、入出力インタフェースを介して通信部１４２に供給する。
【００６２】
画像入力部１３８は、カメラなどよりなる。画像入力部１３８は、撮影時、カメラボタンの操作に応じたCPU１３１の制御により、撮影を行い、その結果得られる画像を、入出力インタフェース１３５を介して記録部１４１、画像出力部１３９などに供給する。
【００６３】
画像出力部１３９は、ディスプレイなどよりなる。画像出力部１３９は、ウェブページの表示時、ウェブボタンの操作に応じたCPU１３１の制御により、通信部１４２から供給されるウェブページの画像を表示する。画像出力部１３９は、電子メールの受信時、CPU１３１の制御により、通信部１４２から供給されるメールデータの画像を表示する。
【００６４】
また、画像出力部１３９は、電話の着信時、CPU１３１の制御により、通話相手等の着信情報を示す画像を表示する。画像出力部１３９は、撮影時、CPU１３１の制御により、画像入力部１３８から供給される画像をライブビュー画像として表示する。
【００６５】
音声出力部１４０は、スピーカなどよりなる。音声出力部１４０は、通話時、CPU１３１の制御により、通信部１４２から供給される音声などを出力する。
【００６６】
記録部１４１は、ハードディスクや不揮発性のメモリなどよりなる。記録部１４１は、撮影時、CPU１３１などの制御により、画像入力部１３８から供給される画像を記録する。
【００６７】
通信部１４２は、アンテナなどよりなる。通信部１４２は、通話時、CPU１３１などの制御により、音声を受信して音声出力部１４０に供給したり、音声入力部１３７から供給される音声を送信したりする。また、通信部１４２は、ウェブページの表示時、CPU１３１などの制御により図示せぬウェブサーバと通信を行い、ウェブページの画像を受信して画像出力部１３９に供給する。また、通信部１４２は、電子メールの受信時、CPU１３１などの制御によりメールデータを受信して画像出力部１３９に供給する。
【００６８】
以上のように構成される携帯電話機１３０は、起床処理部１０を実現する。携帯電話機１３０により実現される起床処理部について、以下に説明する。
【００６９】
（起床処理部の構成例）
図８は、図７の携帯電話機１３０により実現される起床処理部の構成例を示すブロック図である。
【００７０】
図８に示す構成のうち、図４の構成と同じ構成には同じ符号を付してある。重複する説明については適宜省略する。
【００７１】
図８の起床処理部１５０の構成は、前段階起床対象部８２、後段階起床対象部８３の代わりに前段階起床対象部１５１、後段階起床対象部１５２が設けられている点が図４の構成と異なる。また、前段階起床対象部１５１の構成は、起床テーブル９３の代わりに、ROM１３２に記憶される起床テーブル１６１が設けられている点が図４の構成と異なる。
【００７２】
起床処理部１５０の前段階起床処理部８１、起床要因特定部９１、起床対象特定部９２、および後段階起床処理部９４は、例えば図７のCPU１３１により実現される。
【００７３】
起床テーブル１６１では、携帯電話機１３０で発生し得る起床要因と、その起床要因による起床時に起床する必要があるプロセスおよびデバイスとが対応付けられている。
【００７４】
後段階起床対象部１５２は、図１の後段階起床対象部１３を実現するものである。後段階起床対象部１５２は、後段階起床要素としての通話プロセス１７１、メールプロセス１７２、ウェブ閲覧プロセス１７３、撮影プロセス１７４、音声入力部１３７、画像入力部１３８、画像出力部１３９、音声出力部１４０、記録部１４１等により構成される。
【００７５】
通話プロセス１７１は、CPU１３１により実行される通話動作を行うプロセスであり、メールプロセス１７２は、CPU１３１により実行される電子メールの作成、表示、および送受信の動作を行うプロセスである。ウェブ閲覧プロセス１７３は、CPU１３１により実行されるウェブページの出力動作を行うプロセスであり、撮影プロセス１７４は、CPU１３１により実行される撮影動作を行うプロセスである。
【００７６】
（起床テーブルの例）
図９は、図８の起床テーブル１６１の例を示す図である。
【００７７】
図９に示すように、起床テーブル１６１は、図５の起床テーブル９３と同様に、起床要因プロセステーブル１９１とプロセスデバイステーブル１９２により構成される。
【００７８】
図９の例では、起床要因プロセステーブル１９１には、起床要因としての「電話の着信の割り込み」に対応付けて「通話プロセス」が登録され、起床要因としての「カメラボタンの操作」に対応付けて「撮影プロセス」が登録されている。また、起床要因としての「電子メールの受信の割り込み」に対応付けて「メールプロセス」が登録され、起床要因としての「ウェブボタンの操作」に対応付けて「ウェブ閲覧プロセス」が登録されている。
【００７９】
また、図９の例では、プロセスデバイステーブル１９２には、「通話プロセス」に対応付けてデバイスとしての「音声出力部」、「音声入力部」、および「画像出力部」が登録されている。また、「撮影プロセス」に対応付けてデバイスとしての「画像出力部」、「画像入力部」、および「記録部」が登録されている。また、「メールプロセス」と「ウェブ閲覧プロセス」に対応付けてデバイスとしての「画像出力部」が登録されている。
【００８０】
以上のようにして、図９の起床テーブル１６１では、起床要因としての「電話の着信の割り込み」と、「通話プロセス」、「音声出力部」、「音声入力部」および「画像出力部」が対応付けられている。また、起床要因としての「カメラボタンの操作」と、「撮影プロセス」、「画像出力部」、「画像入力部」、および「記録部」が対応付けられている。
【００８１】
また、起床要因としての「電子メールの受信の割り込み」と、「メールプロセス」および「画像出力部」とが対応付けられている。また、起床要因としての「ウェブボタンの操作」と、「ウェブ閲覧プロセス」および「画像出力部」とが対応付けられている。
【００８２】
なお、携帯電話機１３０の起床処理は、図６の起床処理と同様であるので、説明は省略する。
【００８３】
この起床処理により、例えば、サスペンド時に電話が受信され、電話の着信の割り込みが発生した場合、起床要因が「電話の着信の割り込み」であると特定される。具体的には、電話の着信の割り込みに付与された、割り込みを特定する番号が２である場合、起床要因特定部９１は、番号２が付与された割り込みの発生に応じて、起床要因が「電話の着信の割り込み」であると特定する。これにより、通話プロセス１７１、音声出力部１４０、音声入力部１３７、および画像出力部１３９が起床され、携帯電話機１３０は、通話動作が可能な状態に遷移する。
【００８４】
その結果、CPU１３１は、通話プロセス１７１にしたがって、着信情報を示す画像を画像出力部１３９に表示させ、通信部１４２により受信された通話の音声を音声出力部１４０に出力させる。また、CPU１３１は、通話プロセス１７１にしたがって、音声入力部１３７により取得された通話の音声を、通信部１４２を介して送信する。通話終了後、携帯電話機１３０は、通話プロセス１７１、音声出力部１４０、音声入力部１３７、および画像出力部１３９を停止し、ハイバネーション状態に遷移する。
【００８５】
また、起床処理により、例えば、サスペンド時にユーザにより入力部１３６のカメラボタンが操作されたことにより起床要因としての「カメラボタンの操作」が発生した場合、撮影プロセス１７４、画像出力部１３９、画像入力部１３８、記録部１４１が起床される。その結果、CPU１３１は、撮影プロセス１７４にしたがって、画像入力部１３８に撮影を行わせ、その結果得られる画像をライブビュー画像として画像出力部１３９に表示させるとともに、記録部１４１に記録させる。
【００８６】
また、起床処理により、例えば、電子メールが受信され、起床要因としての「電子メールの受信の割り込み」が発生した場合、メールプロセス１７２および画像出力部１３９が起床される。その結果、CPU１３１は、メールプロセス１７２にしたがって、通信部１４２により受信されたメールデータに対応する画像を画像出力部１３９に表示させる。その後、携帯電話機１３０は、メールプロセス１７２および画像出力部１３９を停止し、ハイバネーション状態に遷移する。
【００８７】
また、起床処理により、例えば、ユーザにより入力部１３６のウェブボタンが操作されたことにより起床要因としての「ウェブボタンの操作」が発生した場合、ウェブ閲覧プロセス１７３および画像出力部１３９が起床される。その結果、CPU１３１は、ウェブ閲覧プロセス１７３にしたがって、通信部１４２にウェブページを受信させ、受信されたウェブページの画像を画像出力部１３９に表示させる。
【００８８】
以上のように、携帯電話機１３０は、起床要因に応じて起床対象を特定し、その起床対象を起床させる。従って、記録再生装置５０と同様に、起床処理に要する時間、起床処理時の消費電力、起床処理後の消費電力、起床しているデバイスやプロセスの停止処理に要する時間、停止処理時の消費電力等を削減することができる。
【００８９】
＜第３実施の形態＞
（情報処理装置の第３実施の形態の構成例）
図１０は、本技術を適用した情報処理装置の第３実施の形態としてのデジタルカメラの構成例を示すブロック図である。
【００９０】
図１０のデジタルカメラ２１０は、静止画像や動画像の撮影、表示等を行う。デジタルカメラ２１０において、CPU２１１，ROM２１２，RAM２１３は、バス２１４により相互に接続されている。バス２１４には、さらに、入出力インタフェース２１５が接続されている。入出力インタフェース２１５には、入力部２１６、音声入力部２１７、画像入力部２１８、音声出力部２１９、画像出力部２２０、記録部２２１、およびＰＣ接続部２２２が接続されている。
【００９１】
CPU２１１は、例えば、記録部２２１に記録されているプログラムを、入出力インタフェース２１５およびバス２１４を介して、RAM２１３にロードして実行することにより、静止画像や動画像の撮影、表示等を行う。このとき、必要に応じて、CPU２１１は、ROM２１２に記憶されている情報を参照したり、RAM２１３に対して情報を読み書きしたりする。
【００９２】
入力部２１６は、モードボタン、電源ボタン等の各種の操作ボタンよりなる。モードボタンとは、デジタルカメラ２１０の動作モードを選択するときにユーザにより操作されるボタンである。動作モードとしては、静止画像を撮影する静止画撮影モード、動画像を撮影する動画撮影モード、静止画像を表示する静止画閲覧モード、動画像を表示する動画閲覧モード等がある。電源ボタンとは、デジタルカメラ２１０の電源をオンまたはオフにするときにユーザにより操作されるボタンである。
【００９３】
音声入力部２１７は、マイクロホンなどよりなる。音声入力部２１７は、動画撮影モード時、CPU２１１の制御により、周囲の音声を取得し、入出力インタフェース２１５を介して記録部２２１に供給する。
【００９４】
画像入力部２１８は、撮影部などよりなる。画像入力部２１８は、動画撮影モード時、CPU２１１の制御により所定期間撮影を行い、撮影された画像を動画像として入出力インタフェース２１５を介して画像出力部２２０と記録部２２１に供給する。
【００９５】
また、画像入力部２１８は、静止画撮影モード時、CPU２１１の制御により撮影を行い、撮影中の画像をライブビュー画像として、入出力インタフェース２１５を介して画像出力部２２０する。そして、画像入力部２１８は、所定のタイミングで撮影された画像を静止画像として、入出力インタフェース２１５を介して記録部２２１に供給する。
【００９６】
音声出力部２１９は、スピーカなどよりなる。音声出力部２１９は、動画閲覧モード時、CPU２１１の制御により、記録部２２１から供給される動画像に対応する音声などを出力する。
【００９７】
画像出力部２２０は、ディスプレイなどよりなる。画像出力部２２０は、動画閲覧モード時、CPU２１１の制御により、記録部２２１から供給される動画像などを表示する。また、画像出力部２２０は、静止画閲覧モード時、CPU２１１の制御により、記録部２２１から供給される静止画像などを表示する。
【００９８】
記録部２２１は、ハードディスクや不揮発性のメモリなどよりなる。記録部２２１は、動画撮影モード時、CPU２１１などの制御により、音声入力部２１７から供給される音声と画像入力部２１８から供給される動画像を記録する。また、記録部２２１は、静止画撮影モード時、CPU２１１などの制御により、画像入力部２１８から供給される静止画像を記録する。
【００９９】
また、記録部２２１は、動画閲覧モード時、CPU２１１などの制御により、記録している動画像と、その動画像に対応する音声を読み出し、動画像を画像出力部２２０に供給するとともに、音声を音声出力部２１９に供給する。記録部２２１は、静止画閲覧モード時、CPU２１１などの制御により、記録している静止画像を読み出し、画像出力部２２０に供給する。
【０１００】
ＰＣ接続部２２２は、USB（Universal Serial Bus）インタフェース等により構成される。ＰＣ接続部２２２は、パーソナルコンピュータ（ＰＣ）等への接続時、CPU２１１などの制御により、記録部２２１に記録されている静止画像や、動画像、および、その動画像に対応する音声などをＰＣへ送信する。
【０１０１】
以上のように構成されるデジタルカメラ２１０は、起床処理部１０を実現する。デジタルカメラ２１０により実現される起床処理部について、以下に説明する。
【０１０２】
（起床処理部の構成例）
図１１は、図１０のデジタルカメラ２１０により実現される起床処理部の構成例を示すブロック図である。
【０１０３】
図１１に示す構成のうち、図４の構成と同じ構成には同じ符号を付してある。重複する説明については適宜省略する。
【０１０４】
図１１の起床処理部２４０の構成は、前段階起床対象部８２、後段階起床対象部８３の代わりに前段階起床対象部２４１、後段階起床対象部２４２が設けられている点が図４の構成と異なる。また、前段階起床対象部２４１の構成は、起床テーブル９３の代わりに、ROM２１２に記憶される起床テーブル２５１が設けられている点が図４の構成と異なる。
【０１０５】
起床処理部２４０の前段階起床処理部８１、起床要因特定部９１、起床対象特定部９２、および後段階起床処理部９４は、例えば図１０のCPU２１１により実現される。
【０１０６】
起床テーブル２５１では、デジタルカメラ２１０で発生し得る起床要因と、その起床要因による起床時に起床する必要があるプロセスおよびデバイスとが対応付けられている。
【０１０７】
後段階起床対象部２４２は、図１の後段階起床対象部１３を実現するものである。後段階起床対象部２４２は、後段階起床要素としての静止画撮影プロセス２６１、動画撮影プロセス２６２、静止画閲覧プロセス２６３、動画閲覧プロセス２６４、音声入力部２１７、画像入力部２１８、音声出力部２１９、画像出力部２２０、記録部２２１等により構成される。
【０１０８】
静止画撮影プロセス２６１は、CPU２１１により実行される静止画撮影の動作を行うプロセスであり、動画撮影プロセス２６２は、CPU２１１により実行される動画撮影の動作を行うプロセスである。静止画閲覧プロセス２６３は、CPU２１１により実行される静止画の出力動作を行うプロセスであり、動画閲覧プロセス２６４は、CPU２１１により実行される動画の出力動作を行うプロセスである。
【０１０９】
（起床テーブルの例）
図１２は、図１１の起床テーブル２５１の例を示す図である。
【０１１０】
図１２に示すように、起床テーブル２５１は、図５の起床テーブル９３と同様に、起床要因プロセステーブル２８１とプロセスデバイステーブル２８２により構成される。
【０１１１】
図１２の例では、起床要因プロセステーブル２８１には、起床要因としての「静止画撮影モード時の電源ボタンの操作」に対応付けて「静止画撮影プロセス」が登録されている。また、起床要因としての「動画撮影モード時の電源ボタンの操作」に対応付けて「動画撮影プロセス」が登録されている。
【０１１２】
また、起床要因としての「静止画閲覧モード時の電源ボタンの操作」に対応付けて「静止画閲覧プロセス」が登録され、起床要因としての「動画閲覧モード時の電源ボタンの操作」に対応付けて「動画閲覧プロセス」が登録されている。
【０１１３】
また、図１２の例では、プロセスデバイステーブル２８２には、「静止画撮影プロセス」に対応付けてデバイスとしての「画像出力部」、「画像入力部」、および「記録部」が登録されている。また、「動画撮影プロセス」に対応付けてデバイスとしての「画像出力部」、「画像入力部」、「音声入力部」、および「記録部」が登録されている。
【０１１４】
また、「静止画閲覧プロセス」に対応付けてデバイスとしての「画像出力部」および「記録部」が登録され、「動画閲覧プロセス」に対応付けてデバイスとしての「画像出力部」、「音声出力部」、および「記録部」が登録されている。
【０１１５】
以上のようにして、図１２の起床テーブル２５１では、起床要因としての「静止画撮影モード時の電源ボタンの操作」と、「静止画撮影プロセス」、「画像出力部」、「画像入力部」、および「記録部」が対応付けられている。また、起床要因としての「動画撮影モード時の電源ボタンの操作」と、「動画撮影プロセス」、「画像出力部」、「画像入力部」、「音声入力部」、および「記録部」が対応付けられている。
【０１１６】
また、起床テーブル２５１では、起床要因としての「静止画閲覧モード時の電源ボタンの操作」と、「静止画閲覧プロセス」、「画像出力部」、および「記録部」が対応付けられている。また、起床要因としての「動画閲覧モード時の電源ボタンの操作」と、「動画閲覧プロセス」、「画像出力部」、「音声出力部」、および「記録部」が対応付けられている。
【０１１７】
なお、デジタルカメラ２１０の起床処理は、図６の起床処理と同様であるので、説明は省略する。
【０１１８】
この起床処理により、例えば、ユーザにより静止画撮影モード時に電源ボタンが操作されたことにより起床要因としての「静止画撮影モード時の電源ボタンの操作」が発生した場合、静止画撮影プロセス２６１、画像出力部２２０、画像入力部２１８、および記録部２２１が起床される。その結果、CPU２１１は、静止画撮影プロセス２６１にしたがって、画像入力部２１８に撮影を行わせ、その結果得られるライブビュー画像を画像出力部２２０に表示させ、静止画像を記録部２２１に記録させる。
【０１１９】
また、起床処理により、例えば、ユーザにより動画撮影モード時に電源ボタンが操作されたことにより、起床要因としての「動画撮影モード時の電源ボタンの操作」が発生した場合、動画撮影プロセス２６２、画像出力部２２０、画像入力部２１８、音声入力部２１７、および記録部２２１が起床される。その結果、CPU２１１は、動画撮影プロセス２６２にしたがって、画像入力部２１８に撮影を行わせるとともに音声入力部２１７に音声を取得させ、その結果得られる動画像と音声を記録部２２１に記録させる。
【０１２０】
また、起床処理により、例えば、ユーザにより静止画閲覧モード時に電源ボタンが操作されたことにより起床要因としての「静止画閲覧モード時の電源ボタンの操作」が発生した場合、静止画閲覧プロセス２６３、画像出力部２２０、および記録部２２１が起床される。その結果、CPU２１１は、静止画閲覧プロセス２６３にしたがって、記録部２２１から所定の静止画像を読み出し、画像出力部２２０に表示させる。
【０１２１】
また、起床処理により、例えば、ユーザにより動画閲覧モード時に電源ボタンが操作されたことにより起床要因としての「動画閲覧モード時の電源ボタンの操作」が発生した場合、動画閲覧プロセス２６４、画像出力部２２０、音声出力部２１９、および記録部２２１が起床される。その結果、CPU２１１は、動画閲覧プロセス２６４にしたがって、記録部２２１から所定の動画像と、対応する音声とを読み出し、動画像を画像出力部２２０に表示させ、音声を音声出力部２１９に表示させる。
【０１２２】
以上のように、デジタルカメラ２１０は、起床要因に応じて起床対象を特定し、その起床対象を起床させる。従って、記録再生装置５０と同様に、起床処理に要する時間、起床処理時の消費電力、起床処理後の消費電力、起床しているデバイスやプロセスの停止処理に要する時間、停止処理時の消費電力等を削減することができる。
【０１２３】
＜第４実施の形態＞
（情報処理装置の第４実施の形態の構成例）
図１３は、本技術を適用した情報処理装置の第４実施の形態としてのポータブル型オーディオ機器の構成例を示すブロック図である。
【０１２４】
図１３のポータブル型オーディオ機器３００は、音楽の再生、ＰＣによる充電等を行う。ポータブル型オーディオ機器３００において、CPU３０１，ROM３０２，RAM３０３は、バス３０４により相互に接続されている。バス３０４には、さらに、入出力インタフェース３０５が接続されている。入出力インタフェース３０５には、入力部３０６、音声出力部３０７、画像出力部３０８、記録部３０９、およびＰＣ接続部３１０が接続されている。
【０１２５】
CPU３０１は、例えば、記録部３０９に記録されているプログラムを、入出力インタフェース３０５およびバス３０４を介して、RAM３０３にロードして実行することにより、音楽の再生、ＰＣによる充電等を行う。このとき、必要に応じて、CPU３０１は、ROM３０２に記憶されている情報を参照したり、RAM３０３に対して情報を読み書きしたりする。
【０１２６】
入力部３０６は、再生ボタン等の各種の操作ボタンよりなる。再生ボタンとは、記録部３０９に記録されている音楽を再生するときにユーザにより操作されるボタンである。
【０１２７】
音声出力部３０７は、スピーカなどよりなる。音声出力部３０７は、音楽の再生時、CPU３０１の制御により、記録部３０９から供給される音楽を出力する。
【０１２８】
画像出力部３０８は、ディスプレイなどよりなる。画像出力部３０８は、音楽の再生時、CPU３０１の制御により、記録部３０９から供給される音楽に対応する画像などを表示する。また、画像出力部３０８は、ＰＣによる充電時、CPU３０１の制御により、ポータブル型オーディオ機器３００が内蔵する図示せぬバッテリの状態を示す画像を表示する。
【０１２９】
記録部３０９は、ハードディスクや不揮発性のメモリなどよりなる。記録部３０９は、音楽、その音楽に対応する画像などを記録する。また、記録部３０９は、音楽の再生時、CPU３０１などの制御により、記録している音楽および対応する画像を読み出し、音楽を音声出力部３０７に供給し、画像を画像出力部３０８に供給する。
【０１３０】
ＰＣ接続部３１０は、図示せぬクレードルにポータブル型オーディオ機器３００が挿入された場合、クレードルを介して図示せぬＰＣと接続し、ＰＣから送信されてくる電力を図示せぬバッテリに充電する。
【０１３１】
以上のように構成されるポータブル型オーディオ機器３００は、起床処理部１０を実現する。ポータブル型オーディオ機器３００により実現される起床処理部について、以下に説明する。
【０１３２】
（起床処理部の構成例）
図１４は、図１３のポータブル型オーディオ機器３００により実現される起床処理部の構成例を示すブロック図である。
【０１３３】
図１４に示す構成のうち、図４の構成と同じ構成には同じ符号を付してある。重複する説明については適宜省略する。
【０１３４】
図１４の起床処理部３３０の構成は、前段階起床対象部８２、後段階起床対象部８３の代わりに前段階起床対象部３３１、後段階起床対象部３３２が設けられている点が図４の構成と異なる。また、前段階起床対象部３３１の構成は、起床テーブル９３の代わりに、ROM３０２に記憶される起床テーブル３４１が設けられている点が図４の構成と異なる。
【０１３５】
起床処理部３３０の前段階起床処理部８１、起床要因特定部９１、起床対象特定部９２、および後段階起床処理部９４は、例えば図１３のCPU３０１により実現される。
【０１３６】
起床テーブル３４１では、ポータブル型オーディオ機器３００で発生し得る起床要因と、その起床要因による起床時に起床する必要があるプロセスおよびデバイスとが対応付けられている。
【０１３７】
後段階起床対象部３３２は、図１の後段階起床対象部１３を実現するものである。後段階起床対象部３３２は、後段階起床要素としての音楽再生プロセス３５１、充電状態管理プロセス３５２、ＰＣ接続プロセス３５３、音声出力部３０７、画像出力部３０８、記録部３０９、ＰＣ接続部３１０等により構成される。
【０１３８】
音楽再生プロセス３５１は、CPU３０１により実行される音楽の再生動作を行うプロセスであり、充電状態管理プロセス３５２は、CPU３０１により実行される充電状態の管理動作を行うプロセスである。ＰＣ接続プロセス３５３は、CPU３０１により実行されるＰＣ接続動作を行うプロセスである。
【０１３９】
（起床テーブルの例）
図１５は、図１４の起床テーブル３４１の例を示す図である。
【０１４０】
図１５に示すように、起床テーブル３４１は、図５の起床テーブル９３と同様に、起床要因プロセステーブル３７１とプロセスデバイステーブル３７２により構成される。
【０１４１】
図１５の例では、起床要因プロセステーブル３７１には、起床要因としての「再生ボタンの操作」に対応付けて「音楽再生プロセス」が登録されている。また、起床要因としての「クレードルへの挿入」に対応付けて「充電状態管理プロセス」と「ＰＣ接続プロセス」が登録されている。
【０１４２】
また、図１５の例では、プロセスデバイステーブル３７２には、「音楽再生プロセス」に対応付けてデバイスとしての「音声出力部」、「画像出力部」、および「記録部」が登録されている。また、「充電状態管理プロセス」に対応付けて、デバイスとしての「画像出力部」が登録され、「ＰＣ接続プロセス」に対応付けて、デバイスとしての「ＰＣ接続部」が登録されている。
【０１４３】
以上のようにして、図１５の起床テーブル３４１では、起床要因としての「再生ボタンの操作」と、「音楽再生プロセス」、「音声出力部」、「画像出力部」、および「記録部」が対応付けられている。また、起床要因としての「クレードルへの挿入」と、「充電状態管理プロセス」、「ＰＣ接続プロセス」、「画像出力部」、および「ＰＣ接続部」が対応付けられている。
【０１４４】
なお、ポータブル型オーディオ機器３００の起床処理は、図６の起床処理と同様であるので、説明は省略する。
【０１４５】
この起床処理により、例えば、ユーザにより再生ボタンが操作されたことにより起床要因としての「再生ボタンの操作」が発生した場合、音楽再生プロセス３５１、音声出力部３０７、画像出力部３０８、および記録部３０９が起床される。その結果、CPU３０１は、音楽再生プロセス３５１にしたがって、記録部３０９に記録されている音楽および対応する画像を読み出し、音楽を音声出力部３０７に出力させ、画像を画像出力部３０８に表示させる。
【０１４６】
また、起床処理により、例えば、ユーザによりポータブル型オーディオ機器３００がクレードルに挿入されたことにより、起床要因としての「クレードルへの挿入」が発生した場合、充電状態管理プロセス３５２、ＰＣ接続プロセス３５３、画像出力部３０８、およびＰＣ接続部３１０が起床される。
【０１４７】
その結果、CPU３０１は、充電状態管理プロセス３５２にしたがって、図示せぬバッテリの状態を示す画像を画像出力部３０８に表示させる。また、CPU３０１は、ＰＣ接続プロセス３５３にしたがって、ＰＣ接続部３１０にＰＣからの電力を受け取らせ、バッテリに充電させる。
【０１４８】
以上のように、ポータブル型オーディオ機器３００は、起床要因に応じて起床対象を特定し、その起床対象を起床させる。従って、記録再生装置５０と同様に、起床処理に要する時間、起床処理時の消費電力、起床処理後の消費電力、起床しているデバイスやプロセスの停止処理に要する時間、停止処理時の消費電力等を削減することができる。
【０１４９】
＜第５実施の形態＞
（情報処理装置の第５実施の形態の構成例）
図１６は、本技術を適用した情報処理装置の第５実施の形態としてのＩＣ（Integrated Circuit）レコーダの構成例を示すブロック図である。
【０１５０】
図１６のＩＣレコーダ３９０は、録音や再生等を行う。ＩＣレコーダ３９０において、CPU３９１，ROM３９２，RAM３９３は、バス３９４により相互に接続されている。バス３９４には、さらに、入出力インタフェース３９５が接続されている。入出力インタフェース３９５には、入力部３９６、音声入力部３９７、音声出力部３９８、記録部３９９、およびＰＣ接続部４００が接続されている。
【０１５１】
CPU３９１は、例えば、記録部３９９に記録されているプログラムを、入出力インタフェース３９５およびバス３９４を介して、RAM３９３にロードして実行することにより、録音や再生等を行う。このとき、必要に応じて、CPU３９１は、ROM３９２に記憶されている情報を参照したり、RAM３９３に対して情報を読み書きしたりする。
【０１５２】
入力部３９６は、録音ボタン、再生ボタン等の各種の操作ボタンよりなる。録音ボタンとは、記録部３９９に音声を記録（録音）するときにユーザにより操作されるボタンであり、再生ボタンとは、記録部３９９に記録されている音声を再生するときにユーザにより操作されるボタンである。
【０１５３】
音声入力部３９７は、マイクロホンなどよりなる。音声入力部３９７は、録音時、CPU３９１の制御により、周囲の音声を取得し、その音声を記録部３９９に供給する。
【０１５４】
音声出力部３９８は、スピーカなどによりなる。音声出力部３９８は、音声の再生時、CPU３９１の制御により、記録部３９９から供給される音声を出力する。
【０１５５】
記録部３９９は、ハードディスクや不揮発性のメモリなどよりなる。記録部３９９は、録音時、音声入力部３９７から供給される音声を記録する。また、記録部３９９は、音声の再生時、CPU３９１などの制御により、記録している音声を音声出力部３９８に供給する。
【０１５６】
ＰＣ接続部４００は、USBインタフェースなどよりなり、図示せぬＰＣと通信を行う。
【０１５７】
以上のように構成されるＩＣレコーダ３９０は、起床処理部１０を実現する。ＩＣレコーダ３９０により実現される起床処理部について、以下に説明する。
【０１５８】
（起床処理部の構成例）
図１７は、図１６のＩＣレコーダ３９０により実現される起床処理部の構成例を示すブロック図である。
【０１５９】
図１７に示す構成のうち、図４の構成と同じ構成には同じ符号を付してある。重複する説明については適宜省略する。
【０１６０】
図１７の起床処理部４１０の構成は、前段階起床対象部８２、後段階起床対象部８３の代わりに前段階起床対象部４１１、後段階起床対象部４１２が設けられている点が図４の構成と異なる。また、前段階起床対象部４１１の構成は、起床テーブル９３の代わりに、ROM３９２に記憶される起床テーブル４２１が設けられている点が図４の構成と異なる。
【０１６１】
起床処理部４１０の前段階起床処理部８１、起床要因特定部９１、起床対象特定部９２、ROM３９２に記憶される起床テーブル４２１、および後段階起床処理部９４は、例えば図１６のCPU３９１により実現される。
【０１６２】
起床テーブル４２１では、ＩＣレコーダ３９０で発生し得る起床要因と、その起床要因による起床時に起床する必要があるプロセスおよびデバイスとが対応付けられている。
【０１６３】
後段階起床対象部４１２は、図１の後段階起床対象部１３を実現するものである。後段階起床対象部４１２は、後段階起床要素としての録音プロセス４３１、再生プロセス４３２、音声入力部３９７、音声出力部３９８、記録部３９９等により構成される。
【０１６４】
録音プロセス４３１は、CPU３９１により実行される録音動作を行うプロセスであり、再生プロセス４３２は、CPU３９１により実行される音声の再生動作を行うプロセスである。
【０１６５】
（起床テーブルの例）
図１８は、図１７の起床テーブル４２１の例を示す図である。
【０１６６】
図１８に示すように、起床テーブル４２１は、図５の起床テーブル９３と同様に、起床要因プロセステーブル４５１とプロセスデバイステーブル４５２により構成される。
【０１６７】
図１８の例では、起床要因プロセステーブル４５１には、起床要因としての「録音ボタンの操作」に対応付けて「録音プロセス」が登録され、起床要因としての「再生ボタンの操作」に対応付けて「再生プロセス」が登録されている。
【０１６８】
また、図１８の例では、プロセスデバイステーブル４５２には、「録音プロセス」に対応付けてデバイスとしての「音声入力部」および「記録部」が登録され、「再生プロセス」に対応付けて、デバイスとしての「音声出力部」および「記録部」が登録されている。
【０１６９】
以上のようにして、図１８の起床テーブル４２１では、起床要因としての「録音ボタンの操作」と、「録音プロセス」、「音声入力部」、および「記録部」が対応付けられている。また、起床要因としての「再生ボタンの操作」と、「再生プロセス」、「音声出力部」、および「記録部」が対応付けられている。
【０１７０】
なお、ＩＣレコーダ３９０の起床処理は、図６の起床処理と同様であるので、説明は省略する。
【０１７１】
この起床処理により、例えば、ユーザにより録音ボタンが操作されたことにより起床要因としての「録音ボタンの操作」が発生した場合、録音プロセス４３１、音声入力部３９７、および記録部３９９が起床される。その結果、CPU３９１は、録音プロセス４３１にしたがって、音声入力部３９７に音声を取得させ、その音声を記録部３９９に記録させる。
【０１７２】
また、起床処理により、例えば、ユーザにより再生ボタンが操作されたことにより起床要因としての「再生ボタンの操作」が発生した場合、再生プロセス４３２、音声出力部３９８、および記録部３９９が起床される。その結果、CPU３９１は、再生プロセス４３２にしたがって、記録部３９９に記録されている音声を読み出し、その音声を音声出力部３９８に出力させる。
【０１７３】
以上のように、ＩＣレコーダ３９０は、起床要因に応じて起床対象を特定し、その起床対象を起床させる。従って、記録再生装置５０と同様に、起床処理に要する時間、起床処理時の消費電力、起床処理後の消費電力、起床しているデバイスやプロセスの停止処理に要する時間、停止処理時の消費電力等を削減することができる。
【０１７４】
＜第６実施の形態＞
（情報処理装置の第６実施の形態の構成例）
図１９は、本技術を適用した情報処理装置の第６実施の形態としてのビデオカメラの構成例を示すブロック図である。
【０１７５】
図１９のビデオカメラ４７０は、動画像の撮影や再生等を行う。ビデオカメラ４７０において、CPU４７１，ROM４７２，RAM４７３は、バス４７４により相互に接続されている。バス４７４には、さらに、入出力インタフェース４７５が接続されている。入出力インタフェース４７５には、入力部４７６、音声入力部４７７、画像入力部４７８、音声出力部４７９、画像出力部４８０、記録部４８１、およびＰＣ接続部４８２が接続されている。
【０１７６】
CPU４７１は、例えば、記録部４８１に記録されているプログラムを、入出力インタフェース４７５およびバス４７４を介して、RAM４７３にロードして実行することにより、動画像の撮影や再生等を行う。このとき、必要に応じて、CPU４７１は、ROM４７２に記憶されている情報を参照したり、RAM４７３に対して情報を読み書きしたりする。
【０１７７】
入力部４７６は、録画ボタン、再生ボタン等の各種の操作ボタンよりなる。録画ボタンとは、動画像を撮影するときにユーザにより操作されるボタンである。再生ボタンとは、記録部４８１に記録されている動画像を再生するときにユーザにより操作されるボタンである。
【０１７８】
音声入力部４７７は、マイクロホンなどよりなる。音声入力部４７７は、動画像の撮影時、CPU４７１の制御により周囲の音声を取得し、その音声を記録部４８１に供給する。画像入力部４７８は、撮影部などよりなる。画像入力部４７８は、動画像の撮影時、CPU４７１の制御により所定の時間撮影を行い、その結果得られる動画像を画像出力部４８０と記録部４８１に供給する。
【０１７９】
音声出力部４７９は、スピーカなどによりなる。音声出力部４７９は、動画像の再生時、CPU４７１の制御により、記録部４８１から供給される音声を出力する。画像出力部４８０は、ディスプレイなどよりなる。画像出力部４８０は、動画像の再生時、CPU４７１の制御により、記録部４８１から供給される動画像を表示する。
【０１８０】
記録部４８１は、ハードディスクや不揮発性のメモリなどよりなる。記録部４８１は、CPU４７１などの制御により、動画像の撮影時、音声入力部４７７から供給される音声を記録し、動画像の再生時、記録している音声を音声出力部４７９に供給する。また、記録部４８１は、CPU４７１などの制御により、動画像の撮影時、画像入力部４７８から供給される動画像を記録し、動画像の再生時、記録している動画像を画像出力部４８０に供給する。
【０１８１】
ＰＣ接続部４８２は、USBインタフェースなどよりなり、図示せぬ外部のＰＣと通信を行う。
【０１８２】
以上のように構成されるビデオカメラ４７０は、起床処理部１０を実現する。ビデオカメラ４７０により実現される起床処理部について、以下に説明する。
【０１８３】
（起床処理部の構成例）
図２０は、図１９のビデオカメラ４７０により実現される起床処理部の構成例を示すブロック図である。
【０１８４】
図２０に示す構成のうち、図４の構成と同じ構成には同じ符号を付してある。重複する説明については適宜省略する。
【０１８５】
図２０の起床処理部５００の構成は、前段階起床対象部８２、後段階起床対象部８３の代わりに前段階起床対象部５０１、後段階起床対象部５０２が設けられている点が図４の構成と異なる。また、前段階起床対象部５０１の構成は、起床テーブル９３の代わりに、ROM４７２に記憶される起床テーブル５１１が設けられている点が図４の構成と異なる。
【０１８６】
起床処理部５００の前段階起床処理部８１、起床要因特定部９１、起床対象特定部９２、および後段階起床処理部９４は、例えば図１９のCPU４７１により実現される。
【０１８７】
起床テーブル５１１では、ビデオカメラ４７０で発生し得る起床要因と、その起床要因による起床時に起床する必要があるプロセスおよびデバイスとが対応付けられている。
【０１８８】
後段階起床対象部５０２は、図１の後段階起床対象部１３を実現するものである。後段階起床対象部５０２は、後段階起床要素としての録画プロセス５２１、再生プロセス５２２、音声入力部４７７、画像入力部４７８、音声出力部４７９、画像出力部４８０、記録部４８１等により構成される。
【０１８９】
録画プロセス５２１は、CPU４７１により実行される動画像の撮影動作を行うプロセスであり、再生プロセス５２２は、CPU４７１により実行される動画像の再生動作を行うプロセスである。
【０１９０】
（起床テーブルの例）
図２１は、図２０の起床テーブル５１１の例を示す図である。
【０１９１】
図２１に示すように、起床テーブル５１１は、図５の起床テーブル９３と同様に、起床要因プロセステーブル５４１とプロセスデバイステーブル５４２により構成される。
【０１９２】
図２１の例では、起床要因プロセステーブル５４１には、起床要因としての「録画ボタンの操作」に対応付けて「録画プロセス」が登録されている。また、起床要因としての「再生ボタンの操作」に対応付けて「再生プロセス」が登録されている。
【０１９３】
また、図２１の例では、プロセスデバイステーブル５４２には、「録画プロセス」に対応付けてデバイスとしての「音声入力部」、「画像入力部」、「記録部」、および「画像出力部」が登録されている。また、「再生プロセス」に対応付けて、デバイスとしての「音声出力部」、「画像出力部」、および「記録部」が登録されている。
【０１９４】
以上のようにして、図２１の起床テーブル５１１では、起床要因としての「録画ボタンの操作」と、「録画プロセス」、「音声入力部」、「画像入力部」、「記録部」、および「画像出力部」が対応付けられている。また、起床要因としての「再生ボタンの操作」と、「再生プロセス」、「音声出力部」、「画像出力部」、および「記録部」が対応付けられている。
【０１９５】
なお、ビデオカメラ４７０の起床処理は、図６の起床処理と同様であるので、説明は省略する。
【０１９６】
この起床処理により、例えば、ユーザにより録画ボタンが操作されたことにより起床要因としての「録画ボタンの操作」が発生した場合、録画プロセス５２１、音声入力部４７７、画像入力部４７８、記録部４８１、および画像出力部４８０が起床される。その結果、CPU４７１は、録画プロセス５２１にしたがって、音声入力部４７７に音声を取得させ、画像入力部４７８に動画像を撮影させ、その音声と動画像を記録部４８１に記録させるとともに、動画像を画像出力部４８０に表示させる。
【０１９７】
また、起床処理により、例えば、ユーザにより再生ボタンが操作されたことにより起床要因としての「再生ボタンの操作」が発生した場合、再生プロセス５２２、音声出力部４７９、画像出力部４８０、および記録部４８１が起床される。その結果、CPU４７１は、再生プロセス５２２にしたがって、記録部４８１に記録されている動画像および対応する音声を読み出し、その音声を音声出力部４７９に出力させるとともに、動画像を画像出力部４８０に表示させる。
【０１９８】
以上のように、ビデオカメラ４７０は、起床要因に応じて起床対象を特定し、その起床対象を起床させる。従って、記録再生装置５０と同様に、起床処理に要する時間、起床処理時の消費電力、起床処理後の消費電力、起床しているデバイスやプロセスの停止処理に要する時間、停止処理時の消費電力等を削減することができる。
【０１９９】
＜第７実施の形態＞
（情報処理装置の第７実施の形態の構成例）
図２２は、本技術を適用した情報処理装置の第７実施の形態としてのテレビジョン受像機の構成例を示すブロック図である。
【０２００】
図２２のテレビジョン受像機５６０は、番組の表示、インターネットを介した通信等を行う。テレビジョン受像機５６０において、CPU５６１，ROM５６２，RAM５６３は、バス５６４により相互に接続されている。バス５６４には、さらに、入出力インタフェース５６５が接続されている。入出力インタフェース５６５には、入力部５６６、映像出力部５６７、音声出力部５６８、記録部５６９、チューナ５７０、および通信部５７１が接続されている。
【０２０１】
CPU５６１は、例えば、記録部５６９に記録されているプログラムを、入出力インタフェース５６５およびバス５６４を介して、RAM５６３にロードして実行することにより、番組の表示、インターネットを介した通信等を行う。このとき、必要に応じて、CPU５６１は、ROM５６２に記憶されている情報を参照したり、RAM５６３に対して情報を読み書きしたりする。
【０２０２】
入力部５６６は、電源ボタン、インターネットボタン等の各種の操作ボタンよりなる。電源ボタンとは、テレビジョン受像機５６０の電源をオンまたはオフにするときにユーザにより操作されるボタンであり、インターネットボタンとは、インターネットを介した通信を行うときにユーザにより操作されるボタンである。
【０２０３】
映像出力部５６７は、ディスプレイなどよりなり、番組の表示時、CPU５６１の制御により、チューナ５７０により受信された番組の映像を表示する。また、映像出力部５６７は、インターネットを介した通信時、CPU５６１の制御により、通信部５７１により受信された画像を表示する。
【０２０４】
音声出力部５６８は、スピーカなどよりなり、番組の表示時、CPU５６１の制御により、チューナ５７０により受信された番組の音声を出力する。また、音声出力部５６８は、インターネットを介した通信時、CPU５６１の制御により、通信部５７１により受信された音声を出力する。記録部５６９は、ハードディスクや不揮発性のメモリなどよりなる。
【０２０５】
チューナ５７０は、番組の表示時、CPU５６１の制御により、放送されている番組のうちの所定の番組の映像および音声を取得し、映像を映像出力部５６７に供給するとともに、音声を音声出力部５６８に供給する。
【０２０６】
通信部５７１は、インターネットを介した通信時、CPU５６１の制御により、インターネットを介して図示せぬ外部のサーバなどと通信を行い、画像や音声等を受信する。通信部５７１は、受信された画像を映像出力部５６７に供給するとともに、音声を音声出力部５６８に供給する。
【０２０７】
以上のように構成されるテレビジョン受像機５６０は、起床処理部１０を実現する。テレビジョン受像機５６０により実現される起床処理部について、以下に説明する。
【０２０８】
（起床処理部の構成例）
図２３は、図２２のテレビジョン受像機５６０により実現される起床処理部の構成例を示すブロック図である。
【０２０９】
図２３に示す構成のうち、図４の構成と同じ構成には同じ符号を付してある。重複する説明については適宜省略する。
【０２１０】
図２３の起床処理部５９０の構成は、前段階起床対象部８２、後段階起床対象部８３の代わりに前段階起床対象部５９１、後段階起床対象部５９２が設けられている点が図４の構成と異なる。また、前段階起床対象部５９１の構成は、起床テーブル９３の代わりに、ROM５６２に記憶される起床テーブル６０１が設けられている点が図４の構成と異なる。
【０２１１】
起床処理部５９０の前段階起床処理部８１、起床要因特定部９１、起床対象特定部９２、および後段階起床処理部９４は、例えば図２２のCPU５６１により実現される。
【０２１２】
起床テーブル６０１では、テレビジョン受像機５６０で発生し得る起床要因と、その起床要因による起床時に起床する必要があるプロセスおよびデバイスとが対応付けられている。
【０２１３】
後段階起床対象部５９２は、図１の後段階起床対象部１３を実現するものである。後段階起床対象部５９２は、後段階起床要素としての映像処理プロセス６１１、音声処理プロセス６１２、チューナ制御プロセス６１３、ネットワーク制御プロセス６１４、映像出力部５６７、音声出力部５６８、チューナ５７０、通信部５７１等により構成される。
【０２１４】
映像処理プロセス６１１は、CPU５６１により実行される映像表示動作を行うプロセスであり、音声処理プロセス６１２は、CPU５６１により実行される音声出力動作を行うプロセスである。また、チューナ制御プロセス６１３は、CPU５６１により実行される番組受信動作を行うプロセスであり、ネットワーク制御プロセス６１４は、CPU５６１により実行されるインターネットを介した通信動作を行うプロセスである。
【０２１５】
（起床テーブルの例）
図２４は、図２３の起床テーブル６０１の例を示す図である。
【０２１６】
図２４に示すように、起床テーブル６０１は、図５の起床テーブル９３と同様に、起床要因プロセステーブル６３１とプロセスデバイステーブル６３２により構成される。
【０２１７】
図２４の例では、起床要因プロセステーブル６３１には、起床要因としての「電源ボタンの操作」に対応付けて「映像処理プロセス」、「音声処理プロセス」、および「チューナ制御プロセス」が登録されている。また、起床要因としての「インターネットボタンの操作」に対応付けて「映像処理プロセス」、「音声処理プロセス」、および「ネットワーク制御プロセス」が登録されている。
【０２１８】
また、図２４の例では、プロセスデバイステーブル６３２には、「映像処理プロセス」に対応付けてデバイスとしての「映像出力部」が登録され、「音声処理プロセス」に対応付けてデバイスとしての「音声出力部」が登録されている。また、「チューナ制御プロセス」に対応付けてデバイスとしての「チューナ」が登録され、「ネットワーク制御プロセス」に対応付けてデバイスとしての「通信部」が登録されている。
【０２１９】
以上のようにして、図２４の起床テーブル６０１では、起床要因としての「電源ボタンの操作」と、「映像処理プロセス」、「音声処理プロセス」、「チューナ制御プロセス」、「映像出力部」、「音声出力部」、および「チューナ」が対応付けられている。また、起床要因としての「インターネットボタンの操作」と、「映像処理プロセス」、「音声処理プロセス」、「ネットワーク制御プロセス」、「映像出力部」、「音声出力部」、および「通信部」が対応付けられている。
【０２２０】
なお、テレビジョン受像機５６０の起床処理は、図６の起床処理と同様であるので、説明は省略する。
【０２２１】
この起床処理により、例えば、ユーザにより電源ボタンが操作されたことにより起床要因としての「電源ボタンの操作」が発生した場合、映像処理プロセス６１１、音声処理プロセス６１２、チューナ制御プロセス６１３、映像出力部５６７、音声出力部５６８、およびチューナ５７０が起床される。
【０２２２】
その結果、CPU５６１は、チューナ制御プロセス６１３にしたがって、チューナ５７０に所定の番組の映像および画像を受信させる。また、CPU５６１は、映像処理プロセス６１１にしたがって、チューナ５７０により受信された番組の映像を映像出力部５６７に表示させる。また、CPU５６１は、音声処理プロセス６１２にしたがって、チューナ５７０により受信された番組の音声を音声出力部５６８に出力させる。
【０２２３】
また、起床処理により、例えば、ユーザによりインターネットボタンが操作されたことにより起床要因としての「インターネットボタンの操作」が発生した場合、映像処理プロセス６１１、音声処理プロセス６１２、ネットワーク制御プロセス６１４、映像出力部５６７、音声出力部５６８、および通信部５７１が起床される。
【０２２４】
その結果、CPU５６１は、ネットワーク制御プロセス６１４にしたがって、通信部５７１にインターネットを介した通信を行わせる。CPU５６１は、映像処理プロセス６１１にしたがって、通信部５７１により受信された画像を映像出力部５６７に表示させる。また、CPU５６１は、音声処理プロセス６１２にしたがって、通信部５７１により受信された音声を音声出力部５６８に出力させる。
【０２２５】
以上のように、テレビジョン受像機５６０は、起床要因に応じて起床対象を特定し、その起床対象を起床させる。従って、記録再生装置５０と同様に、起床処理に要する時間、起床処理時の消費電力、起床処理後の消費電力、起床しているデバイスやプロセスの停止処理に要する時間、停止処理時の消費電力等を削減することができる。
【０２２６】
なお、上述した第１乃至７実施の形態では、起床要因が発生し、休止状態から動作状態に遷移する際に行われる起床処理に本技術が適用されたが、本技術は、動作状態において起床要因が発生した際に追加的に行われる起床処理（以下、追加起床処理という）に適用することもできる。勿論、本技術は、起床処理と追加起床処理の両方に適用することもできる。
【０２２７】
図７の携帯電話機１３０の追加起床処理にも本技術を適用した場合に、携帯電話機１３０により実現される電子メールの受信時に追加起床処理を行う追加起床処理部について以下に説明する。
【０２２８】
＜第８実施の形態＞
（追加起床処理部の構成例）
図２５は、図７の携帯電話機１３０により実現される電子メールの受信時に追加起床処理を行う追加起床処理部の構成例を示すブロック図である。
【０２２９】
図２５に示す構成のうち、図８の構成と同じ構成には同じ符号を付してある。重複する説明については適宜省略する。
【０２３０】
図２５の追加起床処理部６５０の構成は、前段階起床対象部１５１、後段階起床対象部１５２の代わりに、前段階起床対象部６５１、後段階起床対象部６５２が設けられている点が図８の起床処理部１５０の構成と異なる。また、前段階起床対象部６５１の構成は、起床要因特定部９１の代わりに追加起床要因特定部６６１が設けられ、起床テーブル１６１の代わりに追加起床テーブル６６２が設けられる点が図８の構成と異なる。
【０２３１】
追加起床要因特定部６６１は、例えば、図７のCPU１３１により、図１の起床要因特定部２１を実現するものである。追加起床要因特定部６６１は、電子メールの受信時において発生した起床要因を特定し、特定された起床要因を示す情報を起床対象特定部９２に供給する。
【０２３２】
追加起床テーブル６６２は、図１の起床テーブル２３に対応するものであり、電子メールの受信時において発生した起床要因と、その起床要因により新たに起床する必要がある後段階起床要素とを対応付けるテーブルである。
【０２３３】
後段階起床対象部６５２は、図１の後段階起床対象部１３を実現するものである。後段階起床対象部６５２は、後段階起床要素としての通話プロセス１７１、ウェブ閲覧プロセス１７３、撮影プロセス１７４、音声入力部１３７、画像入力部１３８、音声出力部１４０、および記録部１４１により構成される。
【０２３４】
このように、追加起床処理部６５０は、電子メールの受信時に発生する起床要因に応じて追加起床処理を行うため、電子メールの受信時に既に起床されているメールプロセス１７２と画像出力部１３８は、後段階起床対象部６５２に含まれない。
【０２３５】
（起床テーブルの例）
図２６は、図２５の追加起床テーブル６６２の例を示す図である。
【０２３６】
図２６に示すように、追加起床テーブル６６２は、起床要因プロセステーブル６７１とプロセスデバイステーブル６７２により構成される。追加起床テーブル６６２は、既に発生している起床要因「電子メールの受信の割り込み」と、その起床要因に対応して既に起床されている「メールプロセス」および「画像出力部」とが登録されない点が、図９の起床テーブル１６１と異なっている。
【０２３７】
具体的には、起床要因プロセステーブル６７１は、電子メールの受信時において発生した起床要因と、その起床要因により新たに起床する必要があるプロセスとが対応付けられたテーブルである。起床要因プロセステーブル６７１には、起床要因としての「電話の着信の割り込み」に対応付けて「通話プロセス」が登録され、起床要因としての「カメラボタンの操作」に対応付けて「撮影プロセス」が登録されている。また、起床要因としての「ウェブボタンの操作」に対応付けて「ウェブ閲覧プロセス」が登録されている。
【０２３８】
また、プロセスデバイステーブル６７２は、プロセスと、そのプロセスの実行時に新たに起床する必要があるデバイスとを対応付けたテーブルである。プロセスデバイステーブル６７２には、「通話プロセス」に対応付けてデバイスとしての「音声出力部」と「音声入力部」が登録され、「撮影プロセス」に対応付けてデバイスとしての「画像入力部」と「記録部」が登録されている。また、「ウェブ閲覧プロセス」に対応付けてデバイスが登録されていない。
【０２３９】
以上のようにして、図２６の追加起床テーブル６６２では、起床要因としての「電話の着信の割り込み」と、「通話プロセス」、「音声出力部」、および「音声入力部」が対応付けられている。また、起床要因としての「カメラボタンの操作」と、「撮影プロセス」、「画像入力部」、および「記録部」が対応付けられ、起床要因としての「ウェブボタンの操作」と「ウェブ閲覧プロセス」とが対応付けられている。
【０２４０】
なお、携帯電話機１３０の追加起床処理は、図６の起床処理と同様であるので、説明は省略する。
【０２４１】
この追加起床処理により、例えば、電子メールの受信時に電話が受信され、電話の着信の割り込みが発生した場合、通話プロセス１７１、音声出力部１４０、および音声入力部１３７が起床され、携帯電話機１３０は、通話動作が可能な状態に遷移する。
【０２４２】
その結果、CPU１３１は、通話プロセス１７１にしたがって、着信情報を示す画像を画像出力部１３９に表示させ、通信部１４２により受信された通話の音声を音声出力部１４０に出力させる。また、CPU１３１は、通話プロセス１７１にしたがって、音声入力部１３７により取得された通話の音声を、通信部１４２を介して送信する。通話終了後、携帯電話機１３０は、通話プロセス１７１、音声出力部１４０、および音声入力部１３７を停止し、元の通話動作が不可能な状態に遷移する。
【０２４３】
また、追加起床処理により、例えば、電子メールの受信時にユーザにより入力部１３６のカメラボタンが操作されたことにより起床要因としての「カメラボタンの操作」が発生した場合、撮影プロセス１７４、画像入力部１３８、記録部１４１が起床される。その結果、CPU１３１は、撮影プロセス１７４にしたがって、画像入力部１３８に撮影を行わせ、その結果得られる画像をライブビュー画像として画像出力部１３９に表示させるとともに、記録部１４１に記録させる。
【０２４４】
また、追加起床処理により、例えば、電子メールの受信時にユーザにより入力部１３６のウェブボタンが操作されたことにより起床要因としての「ウェブボタンの操作」が発生した場合、ウェブ閲覧プロセス１７３が起床される。その結果、CPU１３１は、ウェブ閲覧プロセス１７３にしたがって、通信部１４２にウェブページを受信させ、受信されたウェブページの画像を画像出力部１３９に表示させる。
【０２４５】
以上のように、後段階起床処理部９４は、電子メールの受信時において発生した起床要因に応じて起床対象を特定し、その起床対象を追加的に起床させる。従って、発生した起床要因により起床する必要がある、まだ起床されていないデバイスやプロセスのみを新たに起床させることができる。即ち、起床不要なデバイスやプロセスが追加的に起床されないようにすることができる。よって、追加起床処理に要する時間を短縮し、追加起床処理時の消費電力を削減することができる。また、追加起床処理後の消費電力を削減し、追加起床処理により起床されたデバイスやプロセスの停止処理に要する時間や停止処理時の消費電力を削減することができる。
【０２４６】
なお、ここでは、電子メールの受信時における追加起床処理を例として説明したが、電子メールの受信時以外の動作状態における追加起床処理も同様である。
【０２４７】
また、ここでは、起床テーブル１６１とは異なる追加起床テーブル６６２を用いて追加起床処理を行うようにしたが、起床テーブル１６１を用いて追加起床処理を行うようにしてもよい。この場合、起床テーブル１６１において、発生した起床要因に対応付けられているプロセスとデバイスのうちの、まだ起床されていないプロセスとデバイスのみが起床される。
【０２４８】
また、上述した説明では、起床テーブルがROMに記憶されるものとしたが、起床テーブルの記憶場所はROMに限定されない。起床テーブルは、RAMや記録部に記憶されるようにしてもよい。
【０２４９】
また、上述した起床テーブルの作成方法としては、例えば、以下の３つの方法がある。第１の方法は、情報処理装置の設計時に手動で作成する方法である。第１の方法は、例えば、情報処理装置の動作モードが予め決まっており、起床要因とプロセスの対応、および、プロセスとデバイスの対応が容易に特定可能である場合に用いられる。
【０２５０】
第２の方法は、情報処理装置の設計時に自動で作成する方法である。第２の方法では、各起床要因で情報処理装置が起床され、起床後に動作するプロセスおよびデバイスが検出される。そして、各起床要因と、検出されたプロセスおよびデバイスが対応付けて起床テーブルに登録される。
【０２５１】
第３の方法は、情報処理装置の動作中に自動で作成する方法である。第３の方法では、最初の起床時に全てのプロセスとデバイスが起床され、そのときの起床要因と起床後に動作したプロセスおよびデバイスが検出される。そして、その起床要因と、検出されたプロセスおよびデバイスが対応付けて起床テーブルに登録される。次の起床時には、その起床テーブルが参照され、起床テーブルに現在の起床要因がまだ登録されていない場合には全てのプロセスとデバイスが起床され、最初と同様に起床テーブルへの登録が行われる。一方、起床テーブルに現在の起床要因が登録されている場合には、その起床要因に対応するプロセスとデバイスのみが起床される。以降も同様にして、情報処理装置は、動作しながら起床テーブルを学習する。
【０２５２】
また、上述したCPUが実行するプログラムは、ローカルエリアネットワーク、インターネット、デジタル衛星放送といった、有線または無線の伝送媒体を介して提供することができる。プログラムは、有線または無線の伝送媒体を介して、通信部またはＰＣ接続部で受信し、記録部にインストールすることができる。その他、プログラムは、ROMや記録部に、あらかじめインストールしておくことができる。
【０２５３】
なお、プログラムは、本明細書で説明する順序に沿って時系列に処理が行われるプログラムであっても良いし、並列に、あるいは呼び出しが行われたとき等の必要なタイミングで処理が行われるプログラムであっても良い。
【０２５４】
また、本技術の実施の形態は、上述した実施の形態に限定されるものではなく、本技術の要旨を逸脱しない範囲において種々の変更が可能である。
【０２５５】
なお、本技術は、以下のような構成もとることができる。
【０２５６】
（１）
起床要因に応じて起床対象を特定する起床対象特定部と、
前記起床対象特定部により特定された前記起床対象を起床させる起床処理部と
を備える情報処理装置。
（２）
前記起床対象特定部は、前記起床要因と前記起床対象を対応付けるテーブルを参照して前記起床対象を特定する
前記（１）に記載の情報処理装置。
（３）
前記起床対象は、プロセスまたはデバイスである
前記（１）に記載の情報処理装置。
（４）
前記起床対象特定部は、前記起床要因と前記プロセスを対応付けるとともに、前記プロセスと前記デバイスを対応付けるテーブルを参照して前記起床対象を特定する
前記（３）に記載の情報処理装置。
（５）
前記起床要因は、休止状態において発生する
前記（１）乃至（４）のいずれかに記載の情報処理装置。
（６）
前記起床要因は、動作状態において発生する
前記（１）乃至（５）のいずれかに記載の情報処理装置。
（７）
情報処理装置が、
起床要因に応じて起床対象を特定する起床対象特定ステップと、
前記起床対象特定ステップの処理により特定された前記起床対象を起床させる起床処理ステップと
を含む情報処理方法。
（８）
コンピュータを、
起床要因に応じて起床対象を特定する起床対象特定部と、
前記起床対象特定部により特定された前記起床対象を起床させる起床処理部と
して機能させるためのプログラム。
【符号の説明】
【０２５７】
５０  記録再生装置，  ９２  起床対象特定部，  ９３  起床テーブル，  ９４  後段階起床処理部，  １３０  携帯電話機，  １６１  起床テーブル，  ２１０  デジタルカメラ，  ２５１  起床テーブル，  ３００  ポータブル型オーディオ機器，  ３４１  起床テーブル，  ３９０  ＩＣレコーダ，  ４２１  起床テーブル，  ４７０  ビデオカメラ，  ５１１  起床テーブル，  ５６０  テレビジョン受像機，  ６０１  起床テーブル，  ６６２  追加起床テーブル
【図１】
2014157490.tif 000003
【図２】
2014157490.tif 000004
【図３】
2014157490.tif 000005
【図４】
2014157490.tif 000006
【図５】
2014157490.tif 000007
【図６】
2014157490.tif 000008
【図７】
2014157490.tif 000009
【図８】
2014157490.tif 000010
【図９】
2014157490.tif 000011
【図１０】
2014157490.tif 000012
【図１１】
2014157490.tif 000013
【図１２】
2014157490.tif 000014
【図１３】
2014157490.tif 000015
【図１４】
2014157490.tif 000016
【図１５】
2014157490.tif 000017
【図１６】
2014157490.tif 000018
【図１７】
2014157490.tif 000019
【図１８】
2014157490.tif 000020
【図１９】
2014157490.tif 000021
【図２０】
2014157490.tif 000022
【図２１】
2014157490.tif 000023
【図２２】
2014157490.tif 000024
【図２３】
2014157490.tif 000025
【図２４】
2014157490.tif 000026
【図２５】
2014157490.tif 000027
【図２６】
2014157490.tif 000028